(57)【要約】【課題】用紙穿孔装置において、径の異なるパンチの交換を簡単かつ短時間で行うことができるようにすること。【解決手段】パンチ保持２に、下端に同一外径のパンチ５ａ，５ｂ，５ｄ，５ｆを固定したパンチホルダー４ａ，４ｂ，４ｄ，４ｆと異なる外径で同一外径のパンチ５ｃ，５ｅを固定したパンチホルダー４ｃ，４ｅを一列に配置し、各パンチ５ａ〜５ｆを夫々に、下方へ突出した状態５ｃ，５ｅまたは上方に引上げた状態５ａ，５ｂ，５ｄ，５ｅで固定できるようにし、下方へ突出して固定したパンチ５ｃ，５ｅで搬送された冊子にパンチ孔を形成する。他の外径のパンチ５ａ，５ｂ，５ｄ，５ｆで冊子にパンチ孔を形成するときは、パンチ５ｂ，５ｄの中心に搬送された冊子の中心に合わせるよう穿孔部全体を移動して位置決めする。【選択図】    図１
2008207267.tif 000002
【特許請求の範囲】
【請求項１】
複数個のパンチを所定の間隔を隔てて一列に装着したパンチ保持板と、前記パンチ保持板に装着された各パンチと対向して設けられ、各パンチの先端部を受け入れる受入孔を形成したパンチダイとを有し、用紙搬送路の上側に前記パンチ保持板を、下側に前記パンチダイを、それぞれ前記用紙搬送路を通過する用紙の搬送方向に直交して配置し、前記用紙搬送路を通過する用紙ごとに前記パンチ保持板を押下げて該用紙に複数個の貫通孔を穿孔してなる用紙穿孔装置であって、前記複数個のパンチは、径の異なるパンチを有し、各パンチはパンチ保持板の押下げにより、用紙を穿孔する位置と用紙を穿孔しない位置のいずれかに固定する手段を備えるとともに、前記パンチ保持板とパンチダイとを一体的に用紙の搬送方向と直交する方向に位置決め移動可能としてなることを特徴とする用紙穿孔装置。
【請求項２】
下端にパンチが固定され、パンチ保持板に対して所定の寸法間上下移動可能にされたパンチホルダーと、パンチ保持板に回動自在に支持された操作レバーと、前記操作レバーの回動によりパンチ保持板の下面に沿って移動する規制部材とを有し、前記規制部材の移動により、前記パンチホルダーを上方位置または下方位置に固定してなることを特徴とする請求項１に記載の用紙穿孔装置。
【請求項３】
前記規制部材は、パンチホルダーの移動可能寸法の厚みを有し、先端面部に前記パンチホルダーの下端に当接する突部が形成され、パンチ保持板とパンチホルダーとの間に前記規制部材を嵌入して前記パンチホルダーを下方位置に固定し、前記パンチホルダーの下端に前記突部を当接して前記パンチホルダーを上方位置に固定してなることを特徴とする請求項２に記載の用紙穿孔装置。
【発明の詳細な説明】
【技術分野】
【０００１】
本発明は、異径のパンチを備えた用紙穿孔装置に関するものである。
【背景技術】
【０００２】
従来から中綴じ機とパンチ孔明け装置を配置し、中綴じ機を経由して搬送される1冊ごとの冊子に順次ファイリングに適する孔を形成することが行われている。ファイリングに適する孔には、ファイルによって所定の間隔を隔てた2個の孔を形成する必要があるものや所定の間隔を隔てた３個の孔を形成する必要があるものがあり、これらの２個または３個の孔を1台のパンチ孔明け装置、すなわち用紙穿孔装置で行えるようにしたものが知られている。この用紙穿孔装置では、ファイルの用紙搬送路を通過する用紙の搬送方向に直交して、２個の孔明け用の2個のパンチと３個の孔明け用の３個のパンチを所定の位置に配列し、2個の孔を形成する必要があるものには、その2個のパンチを、また、３個の孔を形成する必要があるものには、その3個のパンチを選択して、孔明け駆動するようにされている。
【特許文献１】特許第３５８８７４６号公報
【０００３】
ところで、用紙穿孔装置に装着されるパンチは、使用頻度の高い直径５ｍｍまたは６ｍｍのいずれかのパンチであり、ファイリング用のパンチ孔の直径が用紙穿孔装置に装着されたパンチの外径と異なる場合には、その孔の形成に適応する外径のパンチと交換する必要がある。この交換はパンチのみを交換すれば足りるものではなく、交換するパンチの外径に適合した孔径を有するダイの交換も必要であり、このようなパンチとダイの交換は、一定の時間が掛かるばかりでなく、用紙穿孔装置を熟知していなければできず、その交換作業は、面倒で困難であるといった問題があった。
【発明の開示】
【発明が解決しようとする課題】
【０００４】
本発明が解決しようとする課題は、このような用紙穿孔装置において、径の異なるパンチの交換を簡単かつ短時間で行うことができるようにし、斯かる問題を解消する点にある。
【課題を解決するための手段】
【０００５】
本発明は、複数個のパンチを所定の間隔を隔てて一列に装着したパンチ保持板と、前記パンチ保持板に装着された各パンチと対向して設けられ、各パンチの先端部を受け入れる受入孔を形成したパンチダイとを有し、用紙搬送路の上側に前記パンチ保持板を、下側に前記パンチダイを、それぞれ前記用紙搬送路を通過する用紙の搬送方向に直交して配置し、前記用紙搬送路を通過する用紙ごとに前記パンチ保持板を押下げて該用紙に複数個の貫通孔を穿孔してなる用紙穿孔装置であって、前記複数個のパンチは、径の異なるパンチを有し、各パンチはパンチ保持板の押下げにより、用紙を穿孔する位置と用紙を穿孔しない位置のいずれかに固定する手段を備えるとともに、前記パンチ保持板とパンチダイとを一体的に用紙の搬送方向と直交する方向に位置決め移動可能としてなることを主な特徴とする。
【発明の効果】
【０００６】
本発明では、パンチ保持板に予め用意されたパンチのうち、用紙に形成するパンチ孔の直径に適合する外径のパンチを選択し、選択したパンチの位置と用紙に形成する孔の位置とを合わせるだけで、用紙に外径の異なるパンチ孔を形成することができ、用紙に形成する異なる孔径に対して、きわめて簡単かつ迅速に対応することができる。
【発明を実施するための最良の形態】
【０００７】
用紙穿孔装置において、径の異なるパンチの交換を簡単かつ短時間で行うことができるようにする目的を、外径の異なるパンチを配列装着したパンチ保持板と、パンチ保持板の各パンチと対向する各パンチの外径と適合する孔を形成したパンチダイとをセット化してその全体を移動位置決め可能とし、パンチ保持板の各パンチのうち、用紙の穿孔に必要なパンチを選択できるようにすることにより実現した。
【実施例】
【０００８】
以下、本発明の実施例について図を参照して説明する。図１は本発明の実施例に係る用紙穿孔装置の穿孔部の構成を示す正面図、図２はパンチ取付け部の構成を示す断面図で（ａ）は孔加工解除時、（ｂ）は孔加工時を示す図、図３は用紙穿孔装置の全体構成を示す正面図、図４は図３に示すＡ−Ａ断面図である。
【０００９】
図１において、１は各パンチの先端部を受け入れる受入孔を形成したパンチダイ、２はパンチ保持板、３はパンチ挿通孔を形成したパンチガイド板、４ａ〜４ｆはパンチホルダー、５ａ〜５ｆはパンチ、６はパンチガイド板を支持する支持部材、７はコイルバネ、８は調整ネジ、９は調整つまみ、１０はロックナット、１１はガイドピン、１２はスライド固定ボルトである。パンチ５ａ〜５ｆは一列に配列され、パンチ５ａ，５ｂ，５ｄ，５ｆは同外径、たとえば５ｍｍの外径を有し、これらは等間隔に配置されている。パンチ５ｃ，５ｅは同外径、たとえば６ｍｍの外径であり、中央部に位置するパンチ５ｂ、５ｄの隣に配置されている。
【００１０】
各パンチホルダー４（図１の４ａ〜４ｆ共通）は、図２（ａ）（ｂ）に示すように、中央部にパンチ保持板２に嵌め合わせる所定寸法の嵌合凹部４ｇを形成した略コ字状をなし、各パンチ５（図１の５ａ〜５ｆ共通）は、それぞれのパンチホルダー４の下端部４ｈに嵌め込み固定されている。そして、パンチ保持板２のパンチホルダー４と対向する端面に支軸１４を有する金具１３が取り付けられ、金具１３の支軸１４に操作レバー１５が回動自在に支持されている。なお、２ａはパンチホルダー４がパンチ保持板２から離脱することを防止する当て板である。
【００１１】
パンチホルダー４の下端部側面と操作レバー１５の間に、パンチ保持板２の下端面で摺動する、パンチホルダー４の上下移動を規制する規制部材１６が配置されている。規制部材１６は、所定の厚み（パンチホルダー４の嵌合凹部４ｇに保持板２とともに嵌め込んだときの厚み、図２（ｂ）参照）を有し、パンチホルダー４側の端面のパンチホルダー４の厚み分の下部にパンチホルダー４側へ突出する突部１６ｂが形成されており、バネ１７によってパンチホルダー４側へ附勢されている。
【００１２】
すなわち、パンチ５を孔明けに使用する場合には、バネ１７の附勢力に抗して操作レバー１５を回動して規制部材１６をパンチホルダー４から遠ざけ、パンチホルダー４を押下げ、バネ１７の附勢力で規制部材１６の凹部４ｇ内に挿入する（図２（ｂ））。これによりパンチ５は下方へ突出した状態に固定され、パンチ保持板２の押下げでパンチダイ１上に置かれた冊子に孔を明けることができる。また、パンチ５を孔明けに使用しない場合には、バネ１７の附勢力に抗して操作レバー１５を回動して規制部材１６をパンチホルダー４から遠ざけ、パンチホルダー４を引き上げ、バネ１７の附勢力で規制部材１６の突部１６ｂの上にパンチホルダー４の下端を載せる（図２（ａ））。これによりパンチ５は上方へ引き上げた状態に固定され、パンチ保持板２を押下げてもパンチダイ１上に置かれた冊子に届かず孔を明けることができない。
【００１３】
図１に示す同径のパンチ５ａ，５ｂ，５ｄ，５ｆはそれぞれパンチを上方へ引き上げた状態でパンチ保持板２に固定され、同径のパンチ５ｃ，５ｅは下方へ突出した状態でパンチ保持板２に固定されている。すなわち、パンチダイ１上に置かれた冊子に２つの同径の孔を形成する場合である。
【００１４】
以上のように構成された穿孔部は、図３および図４に示すように、冊子搬送ベルト２５（図４）による冊子２７の搬送方向に直交して配置された基台１８上にパンチダイ１を基台１８に設けた位置決めストッパ１９ａに当接して固定し、パンチ保持板２を駆動板２０に固定する。駆動板２０の端部は連結ロッド２１に固定される。この状態で調整つまみ９を回し、パンチダイ１とパンチガイド板３との間隔を調整する。なお、ストッパ１９ａへの当接は、パンチ５ｃと５ｅの中心に搬送ベルト２５で搬送された冊子２７の中心と一致させるためである。
【００１５】
連結ロッド２１はモータ２２の回転で回転する回転軸２３の端部に固定した偏心カム２４に連結されている。すなわち、モータ２２の回転で回転軸２３が回転し、連結ロッド２１は上下に駆動し、パンチ保持板２は連結ロッド２１とともに上下に駆動する。この下降駆動により搬送ベルト２５（図４）により搬送され、位置決めストッパ２６で位置決めされた冊子２７に所定の孔、この例ではパンチ５ｃ，５ｅによる２つの孔が穿孔される。なお、位置決めストッパ２６はモータ２８の回転で冊子２７の搬送路上に飛び出し、また引き込められる。また、基台１８にはパンチダイ１のパンチの受入孔と連通する孔が形成されパンチによる抜き屑はガイド板２９を経て排出される。
【００１６】
本例において、パンチ５ａ，５ｂ，５ｄ，５ｆを使用するときは、これらの操作レバー１５を回動して、パンチホルダー４ａ，４ｂ，４ｄ，４ｆを押下げ、パンチ５ａ，５ｂ，５ｄ，５ｆを下方へ突出した状態で固定し、また、パンチ５ｃ，５ｅの操作レバー１５を回動して、パンチホルダー４ｃ，４ｅを引き上げ、パンチ５ｃ，５ｅを上方へ引き上げた状態で固定する。
【００１７】
そして、穿孔部全体を基台１８上で移動させ、パンチダイ１を基台１８に設けた位置決めストッパ１９ｂに当接して固定する。この移動固定により、パンチ５ｃ，５ｅがあった位置にパンチ５ｂ，５ｄが移動し、バランスの取れた４つの孔を冊子２７に形成することができる。すなわち、ストッパ１９ｂへの当接は、パンチ５ｂと５ｄの中心に搬送ベルト２５で搬送された冊子２７の中心と一致させるためである。
【図面の簡単な説明】
【００１８】
【図１】発明の実施例に係る用紙穿孔装置の穿孔部の構成を示す正面図である。
【図２】実施例のパンチ取付け部の構成を示す断面図で（ａ）は孔加工解除時、（ｂ）は孔加工時を示す図である。
【図３】実施例の用紙穿孔装置の全体構成を示す正面図である。
【図４】図３に示すＡ−Ａ断面図である。
【符号の説明】
【００１９】
１  パンチダイ
２  パンチ保持板
３  パンチガイド板
４、４ａ〜４ｆ  パンチホルダー
４ｇ  嵌合凹部
５、５ａ〜５ｆ  パンチ
６  支持部材
７  コイルバネ
８  調整ネジ
９  調整つまみ
１０  ロックナット
１１  ガイドピン
１２  固定ボルト
１３  金具
１４  支軸
１５  操作レバー
１６  規制部材
１６ａ  凹部
１６ｂ  突部
１８  基台
１９ａ、１９ｂ  位置決めストッパ
２０  駆動板
２１  連結ロッド
２２  モータ
２３  回転軸
２４  偏心カム
２５  冊子搬送ベルト
２７  冊子
【図１】
2008207267.tif 000003
【図２】
2008207267.tif 000004
【図３】
2008207267.tif 000005
【図４】
2008207267.tif 000006